(57)【要約】【課題】重要な電子メールの配信に応じて街路灯を制御すること。【解決手段】情報処理装置１０１は、複数人のメンバを含む組織内のメンバ宛にメールＭが送信されたことを検出したことに応じて、街路灯制御装置１０２に対して街路灯１１０の点灯形態の変更を指示する。メールＭは、例えば、組織内のメンバ宛に一斉送信されるメールである。情報処理装置１０１は、街路灯制御装置１０２からメンバの端末装置１０３からのメール受信要求を受信したことに応じて、メールＭを端末装置１０３に送信する制御を行う。【選択図】図１
2019121443.tif 000002
【特許請求の範囲】
【請求項１】
街路灯に対応して設けられる近距離無線通信可能な通信モジュールを有し、前記街路灯の点灯形態を制御可能な街路灯制御装置と、
複数人のメンバを含む組織内のメンバ宛に電子メールが送信されたことを検出したことに応じて、前記街路灯制御装置に対して前記街路灯の点灯形態の変更を指示し、前記街路灯制御装置から前記メンバの端末装置からのメール受信要求を受信したことに応じて、前記電子メールを前記端末装置に送信する制御を行う情報処理装置と、
を含むことを特徴とするメール送信システム。
【請求項２】
前記電子メールは、前記組織内のメンバ宛に一斉送信された電子メールである、ことを特徴とする請求項１に記載のメール送信システム。
【請求項３】
前記街路灯は、電子メールの送信元に対応して設置され、
前記情報処理装置は、
組織内のメンバ宛に電子メールが送信されたことを検出したことに応じて、前記電子メールの送信元に対応する街路灯の街路灯制御装置に対して点灯形態の変更を指示する、ことを特徴とする請求項１または２に記載のメール送信システム。
【請求項４】
前記電子メールには、前記電子メールを分類するフラグが含まれており、
前記情報処理装置は、
前記街路灯制御装置に対して前記フラグに対応する点灯色への変更を指示する、ことを特徴とする請求項１〜３のいずれか一つに記載のメール送信システム。
【請求項５】
前記情報処理装置は、
前記組織内の各メンバと前記電子メールの既読状況とを対応付けて記憶する記憶部を参照して、前記メンバの前記既読状況が未読の場合に、前記電子メールを前記端末装置に送信する制御を行う、ことを特徴とする請求項１〜４のいずれか一つに記載のメール送信システム。
【請求項６】
前記情報処理装置は、
前記組織内の各メンバと前記電子メールの既読状況とを対応付けて記憶する記憶部を参照して、前記電子メールの既読率が閾値以上となったか否かを判断し、
前記既読率が前記閾値以上となった場合に、前記街路灯制御装置に対して点灯形態の初期状態への変更を指示する、ことを特徴とする請求項１〜５のいずれか一つに記載のメール送信システム。
【請求項７】
前記情報処理装置は、
前記電子メールを前記端末装置に送信する制御を行ったことに応じて、前記記憶部に記憶された前記メンバの前記電子メールの既読状況を既読に変更する、ことを特徴とする請求項５または６に記載のメール送信システム。
【請求項８】
複数人のメンバを含む組織内のメンバ宛に電子メールが送信されたことを検出したことに応じて、街路灯に対応して設けられる近距離無線通信可能な通信モジュールを有し、前記街路灯の点灯形態を制御可能な街路灯制御装置に対して、前記街路灯の点灯形態の変更を指示し、
前記街路灯制御装置から前記メンバの端末装置からのメール受信要求を受信したことに応じて、前記電子メールを前記端末装置に送信する制御を行う、
処理をコンピュータが実行することを特徴とするメール送信方法。
【請求項９】
複数人のメンバを含む組織内のメンバ宛に電子メールが送信されたことを検出したことに応じて、街路灯に対応して設けられる近距離無線通信可能な通信モジュールを有し、前記街路灯の点灯形態を制御可能な街路灯制御装置に対して、前記街路灯の点灯形態の変更を指示し、
前記街路灯制御装置から前記メンバの端末装置からのメール受信要求を受信したことに応じて、前記電子メールを前記端末装置に送信する制御を行う、
処理をコンピュータに実行させることを特徴とするメール送信プログラム。
【発明の詳細な説明】
【技術分野】
【０００１】
本発明は、メール送信システム、メール送信方法およびメール送信プログラムに関する。
【背景技術】
【０００２】
近年、インターネットの普及により、社内のメッセージを電子メールで伝達することが多くなっている。例えば、役員等から全社員に向けた重要なメッセージも電子メールで伝達されることがある。また、特定小電力無線通信モジュールを内蔵し、サーバから照明を制御可能な街路灯がある。
【０００３】
先行技術としては、例えば、情報を受信すると、受信情報の発信元ＩＤに対応する重要度を示す属性を取得し、属性に対応する報知レベルを取得し、報知レベルに対応する報知動作を取得し、取得した報知動作に従って情報の受信を報知するものがある。また、街路灯と無線局アンテナが一体的に取り付けられた自立支柱に近接設置したボックス内に無線機、電源、蓄電池を収納し、携帯電話ネットワークに光ケーブルで接続されるように構成した無線局を、既設街路灯と併設する技術がある。
【先行技術文献】
【特許文献】
【０００４】
【特許文献１】特開平１０−２５７０８９号公報
【特許文献２】実用新案登録第３１８７２９１号公報
【発明の概要】
【発明が解決しようとする課題】
【０００５】
しかしながら、従来技術では、役員等から全社員に向けて一斉送信されるような重要な電子メールの確認漏れが生じることがある。
【０００６】
一つの側面では、本発明は、重要な電子メールの配信に応じて街路灯を制御することを目的とする。
【課題を解決するための手段】
【０００７】
１つの実施態様では、街路灯に対応して設けられる近距離無線通信可能な通信モジュールを有し、前記街路灯の点灯形態を制御可能な街路灯制御装置と、組織内のメンバ宛に電子メールが送信されたことを検出したことに応じて、前記街路灯制御装置に対して前記街路灯の点灯形態の変更を指示し、前記街路灯制御装置から前記メンバの端末装置からのメール受信要求を受信したことに応じて、前記電子メールを前記端末装置に送信する制御を行う情報処理装置と、を含むメール送信システムが提供される。
【０００８】
また、１つの実施態様では、組織内のメンバ宛に電子メールが送信されたことを検出したことに応じて、街路灯に対応して設けられる近距離無線通信可能な通信モジュールを有し、前記街路灯の点灯形態を制御可能な街路灯制御装置に対して、前記街路灯の点灯形態の変更を指示し、前記街路灯制御装置から前記メンバの端末装置からのメール受信要求を受信したことに応じて、前記電子メールを前記端末装置に送信する制御を行う、メール送信方法およびメール送信プログラムが提供される。
【発明の効果】
【０００９】
本発明の一側面によれば、重要な電子メールの配信に応じて街路灯を制御することができる。
【図面の簡単な説明】
【００１０】
【図１】図１は、実施の形態にかかるメール送信方法の一実施例を示す説明図である。
【図２】図２は、メール送信システム２００のシステム構成例を示す説明図である。
【図３】図３は、情報処理装置１０１のハードウェア構成例を示すブロック図である。
【図４】図４は、街路灯Ｇｉのハードウェア構成例を示すブロック図である。
【図５】図５は、端末装置Ｔｊのハードウェア構成例を示すブロック図である。
【図６】図６は、街路灯ＤＢ２２０の記憶内容の一例を示す説明図である。
【図７】図７は、メールアドレスＤＢ２３０の記憶内容の一例を示す説明図である。
【図８】図８は、照明制御ＤＢ２４０の記憶内容の一例を示す説明図である。
【図９】図９は、送信メールＤＢ２５０の記憶内容の一例を示す説明図である。
【図１０】図１０は、受信メールＤＢ２６０の記憶内容の一例を示す説明図である。
【図１１】図１１は、メール送信画面の画面例を示す説明図である。
【図１２】図１２は、メール受信要求画面の画面例を示す説明図である。
【図１３】図１３は、情報処理装置１０１の機能的構成例を示すブロック図である。
【図１４】図１４は、メール一覧画面の画面例を示す説明図である。
【図１５】図１５は、情報処理装置１０１の街路灯制御処理手順の一例を示すフローチャートである。
【図１６】図１６は、情報処理装置１０１のメール送信処理手順の一例を示すフローチャートである。
【発明を実施するための形態】
【００１１】
以下に図面を参照して、本発明にかかるメール送信システム、メール送信方法およびメール送信プログラムの実施の形態を詳細に説明する。
【００１２】
（実施の形態）
図１は、実施の形態にかかるメール送信方法の一実施例を示す説明図である。図１において、情報処理装置１０１は、電子メールの送信を制御するコンピュータである。電子メールは、ネットワークを介してコンピュータ間で送受信される電子情報である。以下の説明では、電子メールを「メール」と表記する場合がある。また、情報処理装置１０１は、街路灯制御装置１０２と相互に通信可能に接続される。
【００１３】
街路灯制御装置１０２は、街路灯１１０の点灯形態を制御可能なコンピュータである。街路灯制御装置１０２は、街路灯１１０に対応して設けられる近距離無線通信可能な通信モジュール（例えば、後述の図４に示す近距離無線Ｉ／Ｆ４０６）を有する。近距離無線通信とは、通信距離が数メートルから数十メートル程度の無線通信である。
【００１４】
例えば、街路灯制御装置１０２は、街路灯１１０周辺に存在する端末装置１０３と近距離無線通信可能である。端末装置１０３は、組織内のメンバが使用する近距離無線通信可能なコンピュータである。近距離無線通信としては、例えば、無線ＬＡＮ（Ｌｏｃａｌ  Ａｒｅａ  Ｎｅｔｗｏｒｋ）、Ｂｌｕｅｔｏｏｔｈ（登録商標）などを利用した通信が挙げられる。
【００１５】
街路灯１１０は、道路や共有地などを照らすために設置される明かりであり、点灯形態を変更可能である。点灯形態の変更とは、例えば、点灯色を変更したり、点灯パターンを変更したりすることである。街路灯１１０は、例えば、組織の敷地内、あるいは、敷地周辺に設けられる。組織は、共通目標を達成するために、メンバ間の役割や機能が分化・統合された複数人を含む集団である。組織としては、例えば、企業、会社、地方公共団体、学校、各種法人などがある。また、組織は、社内の部や課、学校の学部や学科などであってもよい。
【００１６】
ここで、インターネットの普及により、組織内のメッセージをメールで伝達することが多くなっている。しかし、受信メールが多くなると、重要なメールが見落とされたり、読み飛ばされたりして確認漏れが生じることが想定される。例えば、企業においては、役員等から全社員に向けてメールが一斉送信されることがあるが、そのような重要なメールの確認漏れが生じることは好ましくない。
【００１７】
そこで、本実施の形態では、組織内のメンバ宛にメールが送信されたことに応じて、街路灯１１０の点灯形態を変更することで、街路灯１１０を利用して、重要なメールの存在を知らせつつ、端末装置１０３で該メールを受信可能にするメール送信方法について説明する。以下、情報処理装置１０１の処理例について説明する。
【００１８】
（１）情報処理装置１０１は、組織内のメンバ宛にメールＭが送信されたことを検出したことに応じて、街路灯制御装置１０２に対して街路灯１１０の点灯形態の変更を指示する。ここで、メールＭは、例えば、組織内のメンバ宛に一斉送信されるメールである。組織内のメンバ宛に一斉送信されるメールは、例えば、役員等から全社員に向けて送信されるメールや、社内システムに関連するメールなどの重要なメールであることが多い。
【００１９】
具体的には、例えば、情報処理装置１０１は、街路灯制御装置１０２に対して、街路灯１１０の点灯色を、初期状態とは異なる点灯色に変更するよう指示することにしてもよい。一例として、街路灯１１０の初期状態の点灯色を「黄色」とする。この場合、情報処理装置１０１は、例えば、街路灯制御装置１０２に対して、街路灯１１０の点灯色を「赤色」に変更するよう指示する。
【００２０】
（２）情報処理装置１０１は、街路灯制御装置１０２からメンバの端末装置１０３からのメール受信要求を受信したことに応じて、メールＭを端末装置１０３に送信する制御を行う。メール受信要求は、近距離無線通信により端末装置１０３から街路灯制御装置１０２に送信され、その後、街路灯制御装置１０２から情報処理装置１０１に送信される。
【００２１】
具体的には、例えば、まず、端末装置１０３は、近距離無線通信可能な街路灯制御装置１０２を検出したことに応じて、街路灯制御装置１０２にメール受信要求を送信する。ただし、メール受信要求は、例えば、端末装置１０３に対するユーザの操作入力に応じて、端末装置１０３から街路灯制御装置１０２に送信されることにしてもよい。
【００２２】
つぎに、街路灯制御装置１０２は、端末装置１０３からメール受信要求を受信すると、端末装置１０３からのメール受信要求を情報処理装置１０１に転送する。そして、情報処理装置１０１は、街路灯制御装置１０２から端末装置１０３からのメール受信要求を受信すると、街路灯制御装置１０２を介して、メールＭを端末装置１０３に送信する。
【００２３】
すなわち、情報処理装置１０１は、街路灯制御装置１０２経由で、端末装置１０３にメールＭを送信する。ただし、情報処理装置１０１は、インターネット等を介して、メールＭを端末装置１０３に直接送信することにしてもよい。また、情報処理装置１０１は、組織内のメンバ宛にメールＭが送信されたことを検出したことに応じて、街路灯制御装置１０２に予めメールＭを送信しておくことにしてもよい。そして、情報処理装置１０１は、例えば、街路灯制御装置１０２により、端末装置１０３からのメール受信要求に応じて、メールＭを端末装置１０３に送信させることにしてもよい。
【００２４】
このように、情報処理装置１０１によれば、例えば、役員等から全社員向けにメールが送信された際に、街路灯１１０の点灯形態を変更させて、役員等から全社員向けに送信された重要なメールの存在を知らせることができる。メールの配信に応じて街路灯を制御できることにより、端末装置１０３のユーザは、例えば、通勤時等に、街路灯１１０の点灯形態の変更により、重要なメールの存在に気付くことができる。
【００２５】
また、情報処理装置１０１によれば、街路灯１１０付近に存在する端末装置１０３からのメール受信要求に応じて、端末装置１０３にメールＭを送信することができる。このため、端末装置１０３のユーザは、例えば、通勤時等に、街路灯１１０の点灯形態の変更により重要なメールの存在に気付いたときに、端末装置１０３でメールＭを受信して、その場でメールＭの内容を確認することができる。この際、端末装置１０３にメールＭのみが受信されるため、重要なメールが見落とされたり、読み飛ばされたりするのを防ぐことができる。
【００２６】
（メール送信システム２００のシステム構成例）
つぎに、実施の形態にかかるメール送信システム２００のシステム構成例について説明する。ここでは、メール送信システム２００を、組織の一例である「会社」に導入した場合を例に挙げて説明する。
【００２７】
図２は、メール送信システム２００のシステム構成例を示す説明図である。図２において、メール送信システム２００は、情報処理装置１０１と、街路灯Ｇ１〜Ｇｎ（ｎ：２以上の自然数）と、端末Ｔ１〜Ｔｍ（ｍ：２以上の自然数）と、を含む。メール送信システム２００において、情報処理装置１０１、街路灯Ｇ１〜Ｇｎおよび端末Ｔ１〜Ｔｍは、有線または無線のネットワーク２１０を介して接続される。ネットワーク２１０は、例えば、ＬＡＮ、ＷＡＮ（Ｗｉｄｅ  Ａｒｅａ  Ｎｅｔｗｏｒｋ）、移動体通信網、インターネットなどである。
【００２８】
以下の説明では、街路灯Ｇ１〜Ｇｎのうちの任意の街路灯を「街路灯Ｇｉ」と表記する場合がある（ｉ＝１，２，…，ｎ）。街路灯Ｇｉは、例えば、図１に示した街路灯制御装置１０２を内蔵した街路灯１１０に相当する。また、端末Ｔ１〜Ｔｍのうちの任意の端末を「端末Ｔｊ」と表記する場合がある（ｊ＝１，２，…，ｍ）。
【００２９】
情報処理装置１０１は、街路灯ＤＢ（Ｄａｔａｂａｓｅ）２２０、メールアドレスＤＢ２３０、照明制御ＤＢ２４０、送信メールＤＢ２５０および受信メールＤＢ２６０を有し、メールの送信を制御する。各種ＤＢ２２０，２３０，２４０，２５０，２６０の記憶内容については、図６〜図１０を用いて後述する。
【００３０】
街路灯Ｇｉは、会社の敷地内、例えば、出入口から建物や工場に向かう通路に設置される明かりである。街路灯Ｇｉは、照明制御部２０１を有する。照明制御部２０１は、街路灯Ｇｉの点灯形態を制御する。また、街路灯Ｇｉは、近距離無線通信する機能を有する。例えば、街路灯Ｇｉは、通信範囲内に存在する端末Ｔｊと近距離無線通信可能である。
【００３１】
端末Ｔｊは、メール送信システム２００のユーザが使用するコンピュータである。端末Ｔｊは、例えば、スマートフォン、タブレットＰＣ（Ｐｅｒｓｏｎａｌ  Ｃｏｍｐｕｔｅｒ）、携帯電話機、ＰＨＳ（Ｐｅｒｓｏｎａｌ  Ｈａｎｄｙ−ｐｈｏｎｅ  Ｓｙｓｔｅｍ）などである。メール送信システム２００のユーザは、組織内のメンバ、すなわち、会社の従業員である。
【００３２】
メール送信システム２００において、街路灯Ｇｉは、近距離無線通信により端末Ｔｊからメール受信要求を受信すると、ネットワーク２１０を介して、端末Ｔｊからのメール受信要求を情報処理装置１０１に送信する。メール受信要求についての詳細な説明は、図１３を用いて後述する。
【００３３】
また、メール送信システム２００において、街路灯Ｇｉは、メールの送信元となるユーザに対応して設置される。メールの送信元としては、例えば、会社の社長、専務、常務、システム管理者などが挙げられる。会社の社長、専務、常務、システム管理者などから送信されるメールは、重要なメールであることが多い。また、一人のユーザに対して、複数の街路灯Ｇｉが設置されてもよい。
【００３４】
また、どの場所に設置された街路灯Ｇｉが、どの送信元に対応しているのかは、社内の全従業員に対して予め周知されていてもよい。これにより、従業員は、例えば、本社正門入口に設置された街路灯Ｇｉが社長に対応したものであるといった、街路灯Ｇｉと送信元との対応関係を把握することができる。
【００３５】
（情報処理装置１０１のハードウェア構成例）
つぎに、図２に示した情報処理装置１０１のハードウェア構成例について説明する。
【００３６】
図３は、情報処理装置１０１のハードウェア構成例を示すブロック図である。図３において、情報処理装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００３７】
ここで、ＣＰＵ３０１は、情報処理装置１０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭがＯＳ（Ｏｐｅｒａｔｉｎｇ  Ｓｙｓｔｅｍ）のプログラムを記憶し、ＲＯＭがアプリケーションプログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００３８】
Ｉ／Ｆ３０３は、通信回線を通じてネットワーク２１０に接続され、ネットワーク２１０を介して外部のコンピュータ（例えば、図２に示した街路灯Ｇ１〜Ｇｎ、端末Ｔｊ）に接続される。そして、Ｉ／Ｆ３０３は、ネットワーク２１０と装置内部とのインターフェースを司り、外部のコンピュータからのデータの入出力を制御する。Ｉ／Ｆ３０３には、例えば、モデムやＬＡＮアダプタなどを採用することができる。
【００３９】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００４０】
なお、情報処理装置１０１は、上述した構成部のほかに、例えば、ＳＳＤ（Ｓｏｌｉｄ  Ｓｔａｔｅ  Ｄｒｉｖｅ）、入力装置、ディスプレイ等を有することにしてもよい。
【００４１】
（街路灯Ｇｉのハードウェア構成例）
つぎに、図２に示した街路灯Ｇｉのハードウェア構成例について説明する。
【００４２】
図４は、街路灯Ｇｉのハードウェア構成例を示すブロック図である。図４において、街路灯Ｇｉは、ＣＰＵ４０１と、メモリ４０２と、ディスクドライブ４０３と、ディスク４０４と、公衆網Ｉ／Ｆ４０５と、近距離無線Ｉ／Ｆ４０６と、発光部４０７と、を有する。また、各構成部は、バス４００によってそれぞれ接続される。
【００４３】
ここで、ＣＰＵ４０１は、情報処理装置１０１の全体の制御を司る。メモリ４０２は、例えば、ＲＯＭ、ＲＡＭおよびフラッシュＲＯＭなどを有する。具体的には、例えば、フラッシュＲＯＭやＲＯＭがファームウェア等のプログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００４４】
ディスクドライブ４０３は、ＣＰＵ４０１の制御に従ってディスク４０４に対するデータのリード／ライトを制御する。ディスク４０４は、ディスクドライブ４０３の制御で書き込まれたデータを記憶する。ディスク４０４としては、例えば、磁気ディスク、光ディスクなどが挙げられる。
【００４５】
公衆網Ｉ／Ｆ４０５は、通信回線を通じてネットワーク２１０に接続され、ネットワーク２１０を介して外部のコンピュータ（例えば、図２に示した情報処理装置１０１）に接続される。そして、公衆網Ｉ／Ｆ４０５は、ネットワーク２１０と装置内部とのインターフェースを司り、外部のコンピュータからのデータの入出力を制御する。
【００４６】
近距離無線Ｉ／Ｆ４０６は、近距離無線ネットワークに接続され、近距離無線ネットワークを介して外部のコンピュータ（例えば、図２に示した端末Ｔｊ）に接続される。そして、近距離無線Ｉ／Ｆ４０６は、近距離無線ネットワークと装置内部とのインターフェースを司り、外部のコンピュータからのデータの入出力を制御する。
【００４７】
公衆網Ｉ／Ｆ４０５や近距離無線Ｉ／Ｆ４０６には、例えば、携帯通信モデムやネットワーク通信チップなどを採用することができる。
【００４８】
発光部４０７は、ＣＰＵ４０１の制御に従って点灯形態（例えば、点灯色、点灯パターン）を変更可能な光源である。発光部４０７としては、例えば、ＬＥＤ（Ｌｉｇｈｔ  Ｅｍｉｔｔｉｎｇ  Ｄｉｏｄｅ）ライトを採用することができる。
【００４９】
なお、街路灯Ｇｉは、上述した構成部のうち、例えば、ディスクドライブ４０３、ディスク４０４を有さないことにしてもよい。また、図２に示した照明制御部２０１は、例えば、メモリ４０２、ディスク４０４などの記憶装置に記憶されたプログラムをＣＰＵ４０１に実行させることにより、その機能を実現する。
【００５０】
（端末Ｔｊのハードウェア構成例）
つぎに、図２に示した端末Ｔｊのハードウェア構成例について説明する。
【００５１】
図５は、端末装置Ｔｊのハードウェア構成例を示すブロック図である。図５において、端末Ｔｊは、ＣＰＵ５０１と、メモリ５０２と、公衆網Ｉ／Ｆ５０３と、近距離無線Ｉ／Ｆ５０４と、ディスプレイ５０５と、入力装置５０６と、を有する。また、各構成部はバス５００によってそれぞれ接続される。
【００５２】
ここで、ＣＰＵ５０１は、端末Ｔｊの全体の制御を司る。メモリ５０２は、例えば、ＲＯＭ、ＲＡＭおよびフラッシュＲＯＭなどを有する。メモリ５０２に記憶されるプログラムは、ＣＰＵ５０１にロードされることで、コーディングされている処理をＣＰＵ５０１に実行させる。
【００５３】
公衆網Ｉ／Ｆ５０３は、通信回線を通じてネットワーク２１０に接続され、ネットワーク２１０を介して外部のコンピュータ（例えば、情報処理装置１０１）に接続される。そして、公衆網Ｉ／Ｆ５０３は、ネットワーク２１０と装置内部とのインターフェースを司り、外部のコンピュータからのデータの入出力を制御する。
【００５４】
近距離無線Ｉ／Ｆ５０４は、近距離無線ネットワークに接続され、近距離無線ネットワークを介して外部のコンピュータ（例えば、街路灯Ｇｉ）に接続される。そして、近距離無線Ｉ／Ｆ５０４は、近距離無線ネットワークと装置内部とのインターフェースを司り、外部のコンピュータからのデータの入出力を制御する。
【００５５】
ディスプレイ５０５は、カーソル、アイコンあるいはツールボックスをはじめ、文書、画像、機能情報などのデータを表示する。ディスプレイ５０５としては、例えば、液晶ディスプレイや有機ＥＬ（Ｅｌｅｃｔｒｏｌｕｍｉｎｅｓｃｅｎｃｅ）ディスプレイなどを採用することができる。
【００５６】
入力装置５０６は、文字、数字、各種指示などの入力のためのキーを有し、データの入力を行う。入力装置５０６は、タッチパネル式の入力パッドやテンキーなどであってもよく、また、キーボードやマウスなどであってもよい。
【００５７】
なお、端末Ｔｊは、上述した構成部のほかに、例えば、ＨＤＤ（Ｈａｒｄ  Ｄｉｓｋ  Ｄｒｉｖｅ）、ＳＳＤ、スピーカなどを有することにしてもよい。
【００５８】
（各種ＤＢ２２０，２３０，２４０，２５０，２６０の記憶内容）
つぎに、情報処理装置１０１が有する各種ＤＢ２２０，２３０，２４０，２５０，２６０の記憶内容について説明する。
【００５９】
図６は、街路灯ＤＢ２２０の記憶内容の一例を示す説明図である。図６において、街路灯ＤＢ２２０は、街路灯ＩＤ、対象メールアドレスおよび設置場所のフィールドを有し、各フィールドに情報を設定することで、街路灯情報（例えば、街路灯情報６００−１〜６００−３）がレコードとして記憶される。
【００６０】
ここで、街路灯ＩＤは、街路灯Ｇｉを一意に識別する識別子である。対象メールアドレスは、街路灯Ｇｉに対応する、メールの送信元となるユーザのメールアドレスである。例えば、街路灯Ｇ１に対応する対象メールアドレス「ｓｙａｃｈｏｕ＠ａａａ．ｂｂｂ．ｊｐ」は、社長のメールアドレスである。すなわち、街路灯Ｇ１は、社長に対応して設置された街路灯である。設置場所は、街路灯Ｇｉが設置された場所を示す情報である。
【００６１】
図７は、メールアドレスＤＢ２３０の記憶内容の一例を示す説明図である。図７において、メールアドレスＤＢ２３０は、メールアドレス、氏名および端末ＩＤのフィールドを有し、各フィールドに情報を設定することで、アドレス情報（例えば、アドレス情報７００−１〜７００−３）をレコードとして記憶する。
【００６２】
ここで、メールアドレスは、メール送信システム２００のユーザのメールアドレスである。氏名は、メール送信システム２００のユーザの氏名である。端末ＩＤは、メール送信システム２００のユーザが使用する端末Ｔｊを一意に識別する識別子である。端末ＩＤとしては、例えば、ＭＡＣ（Ｍｅｄｉａ  Ａｃｃｅｓｓ  Ｃｏｎｔｒｏｌ  ａｄｄｒｅｓｓ）アドレスや電話番号を用いることができる。
【００６３】
図８は、照明制御ＤＢ２４０の記憶内容の一例を示す説明図である。図８において、照明制御ＤＢ２４０は、フラグおよび点灯色のフィールドを有し、各フィールドに情報を設定することで、照明制御情報（例えば、照明制御情報８００−１〜８００−３）をレコードとして記憶する。
【００６４】
ここで、フラグは、メールを分類する情報である。フラグ「１（通知）」は、何らかの情報を告げ知らせるメールに付与されるフラグである。フラグ「２（朗報）」は、朗報を知らせるメールに付与されるフラグである。フラグ「３（警告）」は、警告を知らせるメールに付与されるフラグである。
【００６５】
点灯色は、フラグに対応する街路灯Ｇｉの点灯色である。例えば、フラグ「１（通知）」に対応する街路灯Ｇｉの点灯色は、「青色」である。フラグ「２（朗報）」に対応する街路灯Ｇｉの点灯色は、「緑色」である。フラグ「３（警告）」に対応する街路灯Ｇｉの点灯色は、「赤色」である。なお、街路灯Ｇｉの初期状態の点灯色は、例えば、「黄色」である。
【００６６】
図９は、送信メールＤＢ２５０の記憶内容の一例を示す説明図である。図９において、送信メールＤＢ２５０は、送信者、受信者、送信日時、タイトル、フラグおよび内容のフィールドを有し、各フィールドに情報を設定することで、送信メール情報（例えば、送信メール情報９００−１）をレコードとして記憶する。
【００６７】
ここで、送信者は、送信メールの送信者のメールアドレスである。受信者は、送信メールの受信者のメールアドレスである。受信者「Ａｌｌ（従業員全員）」は、受信者が従業員全員であることを示す。送信日時は、送信メールが送信された日時である。タイトルは、送信メールのタイトルである。
【００６８】
フラグは、送信メールに付与された、送信メールを分類するフラグである。内容は、送信メールの本文である。内容には、添付ファイルが含まれることがある。例えば、送信メール情報９００−１は、社長から従業員全員宛に一斉送信されたメールの情報である。
【００６９】
図１０は、受信メールＤＢ２６０の記憶内容の一例を示す説明図である。図１０において、受信メールＤＢ２６０は、送信者、受信者、タイトル、フラグ、未既読フラグおよび内容のフィールドを有し、各フィールドに情報を設定することで、受信メール情報（例えば、受信メール情報１０００−１〜１０００−３）をレコードとして記憶する。
【００７０】
ここで、送信者は、受信メールの送信者のメールアドレスである。受信者は、受信メールの受信者のメールアドレスである。タイトルは、受信メールのタイトルである。フラグは、受信メールに付与された、受信メールを分類するフラグである。未既読フラグは、受信者が受信メールの内容を確認したか否かを示す情報である。ここでは、未既読フラグ「未読」は、受信者が受信メールの内容を確認していないことを示す。未既読フラグ「既読」は、受信者が受信メールの内容を確認したことを示す。内容は、受信メールの本文である。内容には、添付ファイルが含まれることがある。
【００７１】
なお、図１０の例では、受信メールＤＢ２６０において、全ての受信者の受信メール情報をまとめて管理する場合を例に挙げて説明したが、これに限らない。例えば、受信メール情報は、受信者ごとに管理されることにしてもよい。また、図示は省略するが、受信メール情報には、受信メールが受信された受信日時を示す情報が含まれる。受信メール情報の受信日時としては、例えば、受信メールＤＢ２６０に受信メール情報が格納された日時が設定される。
【００７２】
（メール送信画面の画面例）
つぎに、端末Ｔｊのディスプレイ５０５に表示されるメール送信画面の画面例について説明する。
【００７３】
図１１は、メール送信画面の画面例を示す説明図である。図１１において、メール送信画面１１００は、送信メールを作成する際に表示される操作画面の一例である。メール送信画面１１００は、宛先欄１１０１と、件名欄１１０２と、本文入力欄１１０３と、フラグ指定欄１１０４と、を含む。
【００７４】
メール送信画面１１００において、図５に示した入力装置５０６を用いたユーザの操作入力により、宛先欄１１０１を選択すると、メールの宛先を入力することができる。図１１の例では、宛先として、従業者全員を指定する「Ａｌｌ」が入力されている。また、メール送信画面１１００において、ユーザの操作入力により、件名欄１１０２を選択すると、メールの件名を入力することができる。
【００７５】
また、メール送信画面１１００において、ユーザの操作入力により、本文入力欄１１０３を選択すると、メールの本文を入力することができる。また、メール送信画面１１００において、ユーザの操作入力により、フラグ指定欄１１０４を選択すると、メールを分類するフラグを指定することができる。図１１の例では、フラグとして、警告を知らせるメールに付与する「３（警告）」が指定されている。
【００７６】
また、メール送信画面１１００において、ユーザの操作入力により、送信ボタン１１０５を選択すると、入力された情報に基づくメールを送信することができる。送信者のメールアドレスは、端末Ｔｊのユーザのメールアドレスである。メールが送信されると、図９に示した送信メールＤＢ２５０に送信メール情報が格納される。また、メールが送信されると、図１０に示した受信メールＤＢ２６０に受信メール情報が格納される。
【００７７】
送信されたメールは、例えば、既存のメールサーバ（不図示）に格納される。ユーザは、メールサーバにアクセスすることにより、自分宛に送信されたメールを閲覧することができる。ただし、ユーザが、メールサーバにアクセスし忘れるかもしれないし、メールサーバからメールを受信しても、受信メール数が多くなると、見落としたり、読み飛ばしたりしてしまうことが想定される。なお、情報処理装置１０１が、既存のメールサーバとしての機能も有することにしてもよい。
【００７８】
（メール受信要求画面の画面例）
つぎに、端末Ｔｊのディスプレイ５０５に表示されるメール受信要求画面の画面例について説明する。
【００７９】
図１２は、メール受信要求画面の画面例を示す説明図である。図１２において、メール受信要求画面１２００は、メール受信要求の設定を行うための操作画面の一例である。メール受信要求画面１２００において、ユーザの操作入力により、ボタン１２０１を左から右に移動させると、自動送信モードに設定することができる。
【００８０】
自動送信モードは、端末Ｔｊから近距離無線通信可能な街路灯Ｇｉに対して、メール受信要求を自動送信するモードである。自動送信モードによれば、端末Ｔｊを有したユーザが街路灯Ｇｉに近づいたときに、端末Ｔｊから街路灯Ｇｉにメール受信要求を自動送信することができる。
【００８１】
（情報処理装置１０１の機能的構成例）
図１３は、情報処理装置１０１の機能的構成例を示すブロック図である。図１３において、情報処理装置１０１は、検出部１３０１と、指示部１３０２と、判断部１３０３と、送信制御部１３０４と、記憶部１３１０と、を含む。検出部１３０１〜送信制御部１３０４は制御部となる機能であり、具体的には、例えば、図３に示したメモリ３０２、ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、ディスク３０５などの記憶装置に記憶される。記憶部１３１０は、例えば、メモリ３０２、ディスク３０５などの記憶装置により実現される。具体的には、例えば、記憶部１３１０は、各種ＤＢ２２０，２３０，２４０，２５０，２６０を記憶する。
【００８２】
検出部１３０１は、組織内のメンバ宛にメールが送信されたことを検出する。ここで、検出対象となるメールは、例えば、社内の全従業員向けに一斉送信されるメールである。具体的には、例えば、検出部１３０１は、図６に示した街路灯ＤＢ２２０を参照して、対象メールアドレスを選択する。
【００８３】
つぎに、検出部１３０１は、図９に示した送信メールＤＢ２５０から、選択した対象メールアドレスが送信者フィールドに設定された送信メール情報を取得する。そして、検出部１３０１は、取得した送信メール情報に基づいて、全従業員向けに送信されたメール、すなわち、受信者フィールドに「Ａｌｌ」が設定された送信メール情報が存在するか否かを判断する。
【００８４】
ここで、受信者フィールドに「Ａｌｌ」が設定された送信メール情報が存在する場合、検出部１３０１は、選択した対象メールアドレスのユーザ（送信者）から社内の全従業員向けにメールが送信されたことを検出する。以下の説明では、組織内のメンバ宛に送信されたメールを「対象メール」と表記する場合がある。
【００８５】
指示部１３０２は、対象メールが送信されたことが検出されたことに応じて、街路灯Ｇｉに対して点灯形態の変更を指示する。点灯形態の変更は、例えば、点灯色の変更であってもよく、また、点灯パターンの変更であってもよい。具体的には、例えば、指示部１３０２は、対象メールの送信元に対応する街路灯Ｇｉに対して点灯形態の変更を指示する。また、指示部１３０２は、対象メールに含まれるフラグに対応する点灯色、あるいは、点灯パターンへの変更を指示することにしてもよい。
【００８６】
より詳細に説明すると、例えば、指示部１３０２は、対象メールが送信されたことが検出されたことに応じて、図８に示した照明制御ＤＢ２４０を参照して、対象メールに付与されたフラグに対応する点灯色を特定する。対象メールに付与されたフラグは、対象メールのメール送信情報から特定される。また、指示部１３０２は、街路灯ＤＢ２２０を参照して、対象メールの送信者のメールアドレス（対象メールアドレス）に対応する街路灯ＩＤを特定する。そして、指示部１３０２は、特定した街路灯ＩＤの街路灯Ｇｉに対して、特定した点灯色への変更を指示する制御情報を送信する。街路灯Ｇｉは、情報処理装置１０１から制御情報を受信すると、照明制御部２０１により、受信した制御情報に従って、発光部４０７の点灯色を変更する。
【００８７】
判断部１３０３は、街路灯Ｇｉから端末Ｔｊからのメール受信要求を受信したか否かを判断する。メール受信要求は、端末Ｔｊから街路灯Ｇｉに近距離無線通信により送信される。その後、端末Ｔｊから街路灯Ｇｉに送信されたメール受信要求は、ネットワーク２１０を介して街路灯Ｇｉから情報処理装置１０１に送信される。そして、情報処理装置１０１により、端末Ｔｊからのメール受信要求が受信される。メール受信要求には、例えば、端末Ｔｊの端末ＩＤが含まれる。
【００８８】
送信制御部１３０４は、街路灯Ｇｉから端末Ｔｊからのメール受信要求を受信したことに応じて、対象メールを端末Ｔｊに送信する制御を行う。具体的には、例えば、送信制御部１３０４は、組織内の各メンバと対象メールの既読状況とを対応付けて表す情報を記憶する記憶部１３１０を参照して、端末Ｔｊのユーザの対象メールの既読状況が未読の場合に、対象メールを端末Ｔｊに送信する制御を行うことにしてもよい。組織内の各メンバと対象メールの既読状況とを対応付けて表す情報は、例えば、受信メールＤＢ２６０内の受信メール情報である。
【００８９】
より詳細に説明すると、例えば、送信制御部１３０４は、街路灯Ｇｉから端末Ｔｊからのメール受信要求を受信したことに応じて、街路灯ＤＢ２２０を参照して、街路灯Ｇｉの街路灯ＩＤに対応する対象メールアドレスを特定する。以下の説明では、ここで特定された対象メールアドレスを「対象メールアドレス（送信者）」と表記する場合がある。また、送信制御部１３０４は、図７に示したメールアドレスＤＢ２３０を参照して、受信したメール受信要求に含まれる端末Ｔｊの端末ＩＤに対応するメールアドレスを特定する。以下の説明では、ここで特定されたメールアドレスを「メールアドレス（受信者）」と表記する場合がある。つぎに、送信制御部１３０４は、受信メールＤＢ２６０から、特定した対象メールアドレス（送信者）とメールアドレス（受信者）とに対応し、かつ、未既読フラグが「未読」の受信メール情報を取得する。
【００９０】
そして、送信制御部１３０４は、取得した受信メール情報を対象メールとして、端末Ｔｊに送信する制御を行う。対象メールの送信は、例えば、端末Ｔｊの端末ＩＤを送信先に指定して行われる。この際、送信制御部１３０４は、街路灯Ｇｉを介して、対象メールを端末Ｔｊに送信することにしてもよい。すなわち、送信制御部１３０４は、ネットワーク２１０を介して街路灯Ｇｉに対象メールを送信し、街路灯Ｇｉから端末Ｔｊに近距離無線通信により対象メールを送信させる。ただし、送信制御部１３０４は、ネットワーク２１０を介して、端末Ｔｊに対象メールを直接送信することにしてもよい。この結果、端末Ｔｊにおいて対象メールが受信される。端末Ｔｊにおいて受信された対象メールは、例えば、後述の図１４に示すようなメール一覧画面１４００から確認することができる。
【００９１】
送信制御部１３０４は、対象メールを端末Ｔｊに送信する制御を行ったことに応じて、端末Ｔｊのユーザの対象メールの既読状況を「既読」に変更する。具体的には、例えば、送信制御部１３０４は、受信メールＤＢ２６０内の対象メールに対応する受信メール情報の未既読フラグを「既読」に変更する。対象メールに対応する受信メール情報は、対象メールアドレス（送信者）とメールアドレス（受信者）とに対応し、かつ、未既読フラグが「未読」の受信メール情報である。
【００９２】
また、指示部１３０２は、組織内の各メンバと対象メールの既読状況とを対応付けて表す情報を記憶する記憶部１３１０を参照して、対象メールの既読率が閾値α以上となったか否かを判断することにしてもよい。ここで、既読率は、対象メールの全受信者のうち、対象メールの内容を確認した受信者の割合を示す。閾値αは、任意に設定可能であり、組織内のほとんどのメンバが対象メールの内容を確認したといえる値に設定される。例えば、閾値αは、０．８（８０％）程度の値に設定される。
【００９３】
具体的には、例えば、指示部１３０２は、受信メールＤＢ２６０から、対象メールについての全受信者の受信メール情報（送信者とタイトルとフラグと内容が同一）を取得する。つぎに、指示部１３０２は、全受信者の受信メール情報のうち、未既読フラグが「既読」の受信メール情報の数を計数する。そして、指示部１３０２は、計数した未既読フラグが「既読」の受信メール情報の数を、全受信者の受信メール情報の数で除算することにより既読率を算出する。
【００９４】
また、指示部１３０２は、対象メールの既読率が閾値α以上となった場合に、街路灯Ｇｉに対して点灯形態の初期状態への変更を指示することにしてもよい。具体的には、例えば、指示部１３０２は、対象メールの送信元に対応する街路灯Ｇｉに対して、初期状態の点灯色である「黄色」への変更を指示する制御情報を送信する。街路灯Ｇｉは、情報処理装置１０１から制御情報を受信すると、照明制御部２０１により、受信した制御情報に従って、発光部４０７の点灯色を変更する。
【００９５】
また、指示部１３０２は、対象メールが送信されてから所定時間Ｔ１が経過したら、街路灯Ｇｉに対して点灯形態の初期状態への変更を指示することにしてもよい。対象メールが送信された日時は、例えば、送信メールＤＢ２５０内の対象メールに対応する送信メール情報の送信日時から特定される。所定時間Ｔ１は、任意に設定可能であり、例えば、数日程度の時間に設定される。これにより、対象メールが送信されてから所定時間Ｔ１が経過したら、街路灯Ｇｉの点灯形態を初期状態に戻すことができる。
【００９６】
また、指示部１３０２は、対象メールが送信されてから所定時間Ｔ２が経過しても、対象メールの既読率が閾値β未満の場合は、街路灯Ｇｉに対して点灯パターンの変更を指示することにしてもよい。点灯パターンの変更としては、例えば、所定のタイミングで点滅させたり、点灯色を変化させたりすることが挙げられる。所定時間Ｔ２は、任意に設定可能であり、例えば、２４時間程度の時間に設定される。閾値βは、任意に設定可能であり、例えば、０．３（３０％）程度の値に設定される。これにより、対象メールが送信されてから所定時間Ｔ２が経過しても既読率が低い場合に、街路灯Ｇｉを点滅させるなどして、組織内のメンバに未確認の受信メールの存在を気付きやすくさせることができる。
【００９７】
なお、図１２の例では、メール受信要求画面１２００において、自動送信モードに設定することにしたが、これに限らない。例えば、メール受信要求画面１２００において、ボタン１２０１を左から右に移動させると、その都度、端末Ｔｊから近距離無線通信可能な街路灯Ｇｉに対して、メール受信要求を送信する形態としてもよい。これにより、端末Ｔｊのユーザが、街路灯Ｇｉの点灯形態の変更により対象メールの存在に気付いた際に、メール受信要求画面１２００を表示して、端末Ｔｊから街路灯Ｇｉにメール受信要求を送信することができる。
【００９８】
また、上述した説明では、街路灯Ｇｉが設置された場所によって、対象メールの送信元を判別可能にする場合について説明したが、これに限らない。例えば、街路灯Ｇｉの変更後の点灯色によって送信元を判別可能にしてもよい。この場合、情報処理装置１０１は、対象メールに付与されるフラグに応じて点灯色を変更する制御は行わない。例えば、社内の全従業員向けに社長からメールが一斉送信された場合、情報処理装置１０１は、街路灯Ｇ１〜Ｇｎに対して点灯色を「赤色」に変更するよう指示することにしてもよい。これにより、点灯色が「赤色」となっている街路灯Ｇｉを見たユーザは、社長から全従業員向けにメールが送信されたことに気付くことができる。
【００９９】
（メール一覧画面の画面例）
つぎに、端末Ｔｊのディスプレイ５０５に表示されるメール一覧画面の画面例について説明する。
【０１００】
図１４は、メール一覧画面の画面例を示す説明図である。図１４において、メール一覧画面１４００は、端末Ｔｊにおいて受信された対象メールのメール情報（例えば、メール情報１４０１〜１４０４）を一覧表示する操作画面の一例である。メール情報は、対象メールの送信者と件名と受信日時とを示す。
【０１０１】
メール一覧画面１４００によれば、端末Ｔｊのユーザは、端末Ｔｊにおいて受信された対象メールを確認することができる。また、メール一覧画面１４００において、ユーザの操作入力により、例えば、メール情報１４０１を選択すると、メール情報１４０１に対応する対象メールの内容が表示される。これにより、端末Ｔｊのユーザは、対象メールの内容を確認することができる。
【０１０２】
また、メール一覧画面１４００では、例えば、端末Ｔｊにおいて受信された日時が新しい対象メールほど上位に表示される。これにより、端末Ｔｊのユーザは、街路灯Ｇｉ経由で直近に受信した対象メールを判別しやすくなる。また、メール一覧画面１４００では、メール情報の背景色は、対象メールに付与されたフラグに応じて変化する。これにより、端末Ｔｊのユーザは、どのような種類（通知、朗報、警告）の対象メールを受信したのかを簡単に把握することができる。
【０１０３】
（情報処理装置１０１の街路灯制御処理手順）
つぎに、情報処理装置１０１の街路灯制御処理手順について説明する。情報処理装置１０１の街路灯制御処理は、例えば、１０分間隔などで定期的に実行される。
【０１０４】
図１５は、情報処理装置１０１の街路灯制御処理手順の一例を示すフローチャートである。図１５のフローチャートにおいて、まず、情報処理装置１０１は、街路灯ＤＢ２２０から選択されていない未選択の対象メールアドレスを選択する（ステップＳ１５０１）。つぎに、情報処理装置１０１は、送信メールＤＢ２５０から、選択した対象メールアドレスに対応する送信メール情報を取得する（ステップＳ１５０２）。
【０１０５】
そして、情報処理装置１０１は、取得した送信メール情報に基づいて、全従業員向けに送信されたメールが存在するか否かを判断する（ステップＳ１５０３）。ここで、全従業員向けに送信されたメールが存在しない場合（ステップＳ１５０３：Ｎｏ）、情報処理装置１０１は、ステップＳ１５０８に移行する。
【０１０６】
一方、全従業員向けに送信されたメールが存在する場合（ステップＳ１５０３：Ｙｅｓ）、情報処理装置１０１は、全従業員向けに送信されたメールの送信メール情報のフラグを特定する（ステップＳ１５０４）。なお、全従業員向けに送信されたメールが複数存在する場合、情報処理装置１０１は、例えば、複数のメールのうち送信日時が最新のメールの送信メール情報のフラグを特定することにしてもよい。
【０１０７】
つぎに、情報処理装置１０１は、照明制御ＤＢ２４０を参照して、特定したフラグに対応する点灯色を特定する（ステップＳ１５０５）。つぎに、情報処理装置１０１は、街路灯ＤＢ２２０を参照して、選択した対象メールアドレスに対応する街路灯ＩＤを特定する（ステップＳ１５０６）。
【０１０８】
そして、情報処理装置１０１は、特定した街路灯ＩＤの街路灯Ｇｉに対して、特定した点灯色への変更を指示する制御情報を送信する（ステップＳ１５０７）。つぎに、情報処理装置１０１は、街路灯ＤＢ２２０から選択されていない未選択の対象メールアドレスがあるか否かを判断する（ステップＳ１５０８）。
【０１０９】
ここで、未選択の対象メールアドレスがある場合（ステップＳ１５０８：Ｙｅｓ）、情報処理装置１０１は、ステップＳ１５０１に戻る。一方、未選択の対象メールアドレスがない場合（ステップＳ１５０８：Ｎｏ）、情報処理装置１０１は、本フローチャートによる一連の処理を終了する。
【０１１０】
これにより、社長等から社内の全従業員向けにメールが送信された際に、メールの送信元に対応する街路灯Ｇｉの点灯色を変更させて、社長等から全従業員向けに送信された重要なメールの存在を知らせることができる。
【０１１１】
（情報処理装置１０１のメール送信処理手順）
つぎに、情報処理装置１０１のメール送信処理手順について説明する。
【０１１２】
図１６は、情報処理装置１０１のメール送信処理手順の一例を示すフローチャートである。図１６のフローチャートにおいて、まず、情報処理装置１０１は、街路灯Ｇｉから端末Ｔｊからのメール受信要求を受信したか否かを判断する（ステップＳ１６０１）。ここで、情報処理装置１０１は、メール受信要求を受信するのを待つ（ステップＳ１６０１：Ｎｏ）。
【０１１３】
そして、メール受信要求を受信した場合（ステップＳ１６０１：Ｙｅｓ）、情報処理装置１０１は、街路灯ＤＢ２２０を参照して、街路灯Ｇｉの街路灯ＩＤに対応する対象メールアドレスを特定する（ステップＳ１６０２）。つぎに、メールアドレスＤＢ２３０を参照して、受信したメール受信要求に含まれる端末Ｔｊの端末ＩＤに対応するメールアドレスを特定する（ステップＳ１６０３）。
【０１１４】
つぎに、情報処理装置１０１は、受信メールＤＢ２６０から、特定した対象メールアドレス（送信者）とメールアドレス（受信者）とに対応し、かつ、未既読フラグが「未読」の受信メール情報を取得する（ステップＳ１６０４）。そして、情報処理装置１０１は、取得した受信メール情報を対象メールとして、街路灯Ｇｉを介して、端末Ｔｊに対象メールを送信する（ステップＳ１６０５）。
【０１１５】
つぎに、情報処理装置１０１は、受信メールＤＢ２６０内の対象メールに対応する受信メール情報の未既読フラグを「既読」に変更する（ステップＳ１６０６）。そして、情報処理装置１０１は、受信メールＤＢ２６０を参照して、対象メールの既読率を算出する（ステップＳ１６０７）。
【０１１６】
つぎに、情報処理装置１０１は、算出した対象メールの既読率が閾値α以上であるか否かを判断する（ステップＳ１６０８）。ここで、対象メールの既読率が閾値α未満の場合（ステップＳ１６０８：Ｎｏ）、情報処理装置１０１は、本フローチャートによる一連の処理を終了する。
【０１１７】
一方、対象メールの既読率が閾値α以上の場合（ステップＳ１６０８：Ｙｅｓ）、情報処理装置１０１は、街路灯Ｇｉに対して点灯形態の初期状態への変更を指示する制御情報を送信して（ステップＳ１６０９）、本フローチャートによる一連の処理を終了する。
【０１１８】
これにより、街路灯Ｇｉ付近にいる端末Ｔｊに対して、端末Ｔｊのユーザが未読の対象メールを送信することができる。このため、端末Ｔｊのユーザが街路灯Ｇｉの点灯形態の変更により対象メールの存在に気付いたときに、端末Ｔｊで対象メールを受信できるようになり、重要なメールの確認漏れを防ぐことができる。
【０１１９】
以上説明したように、実施の形態にかかる情報処理装置１０１によれば、組織内のメンバ宛に対象メールが送信されたことを検出したことに応じて、街路灯Ｇｉに対して点灯形態の変更を指示することができる。対象メールは、例えば、社長、専務、常務、システム管理者等から社内の全従業員向けに一斉送信されるメールである。これにより、社長等から社内の全従業員向けにメールが送信された際に、街路灯Ｇｉの点灯形態を変更させて、社長等から全従業員向けに送信された重要なメールの存在を知らせることができる。
【０１２０】
また、情報処理装置１０１によれば、街路灯Ｇｉから組織内のメンバの端末Ｔｊからのメール受信要求を受信したことに応じて、対象メールを端末Ｔｊに送信する制御を行うことができる。メール受信要求は、端末Ｔｊから街路灯Ｇｉに近距離無線通信により送信される。これにより、街路灯Ｇｉと近距離無線通信可能な距離に存在する端末Ｔｊからのメール受信要求に応じて、端末Ｔｊに対して対象メールを送信することができる。このため、端末Ｔｊのユーザが、通勤時等に、街路灯Ｇｉの点灯形態の変更により対象メールの存在に気付いたときに、端末Ｔｊで対象メールを受信して、その場で対象メールの内容を確認することができ、重要なメールの確認漏れを防ぐことができる。
【０１２１】
また、情報処理装置１０１によれば、組織内のメンバ宛に対象メールが送信されたことを検出したことに応じて、対象メールの送信元に対応する街路灯Ｇｉに対して点灯形態の変更を指示することができる。これにより、街路灯Ｇｉが設置された場所によって、対象メールの送信元を判別可能にすることができる。例えば、端末Ｔｊのユーザは、本社正門入口に設置された街路灯Ｇｉの点灯形態が変更されていれば、社長から全従業員向けに送信されたメールの存在に気付くことができる。
【０１２２】
また、情報処理装置１０１によれば、組織内のメンバ宛に対象メールが送信されたことを検出したことに応じて、街路灯Ｇｉに対して、対象メールに含まれるフラグに対応する点灯色への変更を指示することができる。これにより、街路灯Ｇｉの点灯色の違いによって、どのような種類（通知、朗報、警告）の対象メールが送信されたのかを判別可能にすることができる。例えば、端末Ｔｊのユーザは、街路灯Ｇｉの点灯色が「赤色」に変更されていれば、警告を知らせるメールの存在に気付くことができる。
【０１２３】
また、情報処理装置１０１によれば、組織内の各メンバと対象メールの既読状況とを対応付けて記憶する記憶部１３１０を参照して、端末Ｔｊのユーザの対象メールの既読状況が未読の場合に、対象メールを端末Ｔｊに送信する制御を行うことができる。これにより、端末Ｔｊのユーザが内容を確認済みであるメールが、端末Ｔｊに送信されるのを防ぐことができる。
【０１２４】
また、情報処理装置１０１によれば、組織内の各メンバと対象メールの既読状況とを対応付けて記憶する記憶部１３１０を参照して、対象メールの既読率が閾値α以上となったか否かを判断することができる。そして、情報処理装置１０１によれば、対象メールの既読率が閾値α以上となった場合に、街路灯Ｇｉに対して点灯形態の初期状態への変更を指示することができる。これにより、社内の全従業員向けに送信されたメールの内容を大半のユーザが確認したといえる状態となったら、街路灯Ｇｉの点灯形態を初期状態に戻すことができる。このため、メールの内容を大半のユーザが確認したにもかかわらず、街路灯Ｇｉの点灯形態が変更されたままとなって過剰な通知となるのを防ぐことができる。
【０１２５】
また、情報処理装置１０１によれば、対象メールを端末Ｔｊに送信する制御を行ったことに応じて、記憶部１３１０に記憶された端末Ｔｊのメンバの対象メールの既読状況を既読に変更することができる。これにより、街路灯Ｇｉと近距離無線通信可能な距離に存在する端末Ｔｊに対象メールを送信したことをもって、端末Ｔｊのユーザが対象メールの内容を確認したと判断することができる。
【０１２６】
また、情報処理装置１０１によれば、街路灯Ｇｉを介して、対象メールを端末Ｔｊに送信することができる。これにより、端末Ｔｊにおいてインターネット等の公衆網を利用できない場合であっても、街路灯Ｇｉ／端末Ｔｊ間の近距離無線通信を利用して、対象メールを端末Ｔｊに送信することができる。
【０１２７】
これらのことから、実施の形態にかかるメール送信システム２００によれば、会社の敷地内に設置される街路灯Ｇｉを活用して、社長等から全従業員向けに送信されたメールの存在を知らせるとともに、そのメールのみをその場で受信可能にすることができる。これにより、ユーザは、メールサーバ等にアクセスしてメールの受信状況を確認することなく、通勤時等に重要なメールの存在を確認することができる。また、ユーザは、重要な未読メールがあれば、そのメールのみをその場で自身の端末Ｔｊで受信して内容を確認することができ、重要なメールの確認漏れを防ぐことができる。
【０１２８】
なお、本実施の形態で説明したメール送信方法は、予め用意されたプログラムをパーソナル・コンピュータやワークステーション等のコンピュータで実行することにより実現することができる。本メール送信プログラムは、ハードディスク、フレキシブルディスク、ＣＤ（Ｃｏｍｐａｃｔ  Ｄｉｓｃ）−ＲＯＭ、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリ等のコンピュータで読み取り可能な記録媒体に記録され、コンピュータによって記録媒体から読み出されることによって実行される。また、本メール送信プログラムは、インターネット等のネットワークを介して配布してもよい。
【０１２９】
上述した実施の形態に関し、さらに以下の付記を開示する。
【０１３０】
（付記１）街路灯に対応して設けられる近距離無線通信可能な通信モジュールを有し、前記街路灯の点灯形態を制御可能な街路灯制御装置と、
複数人のメンバを含む組織内のメンバ宛に電子メールが送信されたことを検出したことに応じて、前記街路灯制御装置に対して前記街路灯の点灯形態の変更を指示し、前記街路灯制御装置から前記メンバの端末装置からのメール受信要求を受信したことに応じて、前記電子メールを前記端末装置に送信する制御を行う情報処理装置と、
を含むことを特徴とするメール送信システム。
【０１３１】
（付記２）前記電子メールは、前記組織内のメンバ宛に一斉送信された電子メールである、ことを特徴とする付記１に記載のメール送信システム。
【０１３２】
（付記３）前記街路灯は、電子メールの送信元に対応して設置され、
前記情報処理装置は、
組織内のメンバ宛に電子メールが送信されたことを検出したことに応じて、前記電子メールの送信元に対応する街路灯の街路灯制御装置に対して点灯形態の変更を指示する、ことを特徴とする付記１または２に記載のメール送信システム。
【０１３３】
（付記４）前記電子メールには、前記電子メールを分類するフラグが含まれており、
前記情報処理装置は、
前記街路灯制御装置に対して前記フラグに対応する点灯色への変更を指示する、ことを特徴とする付記１〜３のいずれか一つに記載のメール送信システム。
【０１３４】
（付記５）前記情報処理装置は、
前記組織内の各メンバと前記電子メールの既読状況とを対応付けて記憶する記憶部を参照して、前記メンバの前記既読状況が未読の場合に、前記電子メールを前記端末装置に送信する制御を行う、ことを特徴とする付記１〜４のいずれか一つに記載のメール送信システム。
【０１３５】
（付記６）前記情報処理装置は、
前記組織内の各メンバと前記電子メールの既読状況とを対応付けて記憶する記憶部を参照して、前記電子メールの既読率が閾値以上となったか否かを判断し、
前記既読率が前記閾値以上となった場合に、前記街路灯制御装置に対して点灯形態の初期状態への変更を指示する、ことを特徴とする付記１〜５のいずれか一つに記載のメール送信システム。
【０１３６】
（付記７）前記情報処理装置は、
前記電子メールを前記端末装置に送信する制御を行ったことに応じて、前記記憶部に記憶された前記メンバの前記電子メールの既読状況を既読に変更する、ことを特徴とする付記５または６に記載のメール送信システム。
【０１３７】
（付記８）前記情報処理装置は、
前記街路灯制御装置を介して、前記電子メールを前記端末装置に送信する、ことを特徴とする付記１〜７のいずれか一つに記載のメール送信システム。
【０１３８】
（付記９）前記メール受信要求は、前記端末装置から前記街路灯制御装置に近距離無線通信により送信される、ことを特徴とする付記１〜８のいずれか一つに記載のメール送信システム。
【０１３９】
（付記１０）複数人のメンバを含む組織内のメンバ宛に電子メールが送信されたことを検出したことに応じて、街路灯に対応して設けられる近距離無線通信可能な通信モジュールを有し、前記街路灯の点灯形態を制御可能な街路灯制御装置に対して、前記街路灯の点灯形態の変更を指示し、
前記街路灯制御装置から前記メンバの端末装置からのメール受信要求を受信したことに応じて、前記電子メールを前記端末装置に送信する制御を行う、
処理をコンピュータが実行することを特徴とするメール送信方法。
【０１４０】
（付記１１）複数人のメンバを含む組織内のメンバ宛に電子メールが送信されたことを検出したことに応じて、街路灯に対応して設けられる近距離無線通信可能な通信モジュールを有し、前記街路灯の点灯形態を制御可能な街路灯制御装置に対して、前記街路灯の点灯形態の変更を指示し、
前記街路灯制御装置から前記メンバの端末装置からのメール受信要求を受信したことに応じて、前記電子メールを前記端末装置に送信する制御を行う、
処理をコンピュータに実行させることを特徴とするメール送信プログラム。
【符号の説明】
【０１４１】
１０１  情報処理装置
１０２  街路灯制御装置
１０３  端末装置
１１０  街路灯
２００  メール送信システム
２０１  照明制御部
２１０  ネットワーク
２２０  街路灯ＤＢ
２３０  メールアドレスＤＢ
２４０  照明制御ＤＢ
２５０  送信メールＤＢ
２６０  受信メールＤＢ
３００，４００，５００  バス
３０１，４０１，５０１  ＣＰＵ
３０２，４０２，５０２  メモリ
３０３  Ｉ／Ｆ
３０４，４０３  ディスクドライブ
３０５，４０４  ディスク
４０５，５０３  公衆網Ｉ／Ｆ
４０６，５０４  近距離無線Ｉ／Ｆ
４０７  発光部
５０５  ディスプレイ
５０６  入力装置
１１００  メール送信画面
１２００  メール受信要求画面
１３０１  検出部
１３０２  指示部
１３０３  判断部
１３０４  送信制御部
１３１０  記憶部
１４００  メール一覧画面
【図１】
2019121443.tif 000003
【図２】
2019121443.tif 000004
【図３】
2019121443.tif 000005
【図４】
2019121443.tif 000006
【図５】
2019121443.tif 000007
【図６】
2019121443.tif 000008
【図７】
2019121443.tif 000009
【図８】
2019121443.tif 000010
【図９】
2019121443.tif 000011
【図１０】
2019121443.tif 000012
【図１１】
2019121443.tif 000013
【図１２】
2019121443.tif 000014
【図１３】
2019121443.tif 000015
【図１４】
2019121443.tif 000016
【図１５】
2019121443.tif 000017
【図１６】
2019121443.tif 000018